(57)【要約】      （修正有）【課題】茶殻を廃棄する時期を適切に制御して、一定の濃度を有する茶飲料を販売する装置を提供する。【解決手段】茶葉を貯蔵する原料タンク２１と、湯を貯蔵する湯タンク１１と、茶漉し網３１と、湯が供給可能な状態、茶殻を廃棄可能な状態、となるように、茶漉し網３１の状態を可変とする駆動機構３２と、を有する茶飲料販売装置であって、茶葉を供給した後の、湯の供給量を測定する測定部と、茶葉を供給した後の経過時間を計時する計時部と、測定部の測定量が所定量に到達する第１時刻を検出する第１検出部と、計時部の計時時間が所定時間に到達する第２時刻を検出する第２検出部と、第１時刻又は第２時刻の何れか早い方の時刻に到達した場合、茶殻を廃棄するように駆動機構３２を制御する制御部と、を備えることを特徴とする。【選択図】図１
2008188256.tif 000002
【特許請求の範囲】
【請求項１】
茶葉を貯蔵する原料タンクと、
湯を貯蔵する湯タンクと、
前記原料タンクから茶葉が供給され、前記茶葉から茶飲料を調理するために前記湯タンクから湯が供給される茶漉し網と、
前記原料タンクから茶葉が供給可能な状態、前記湯タンクから湯が供給可能な状態、前記湯タンクから湯が供給された後に生じる茶殻を廃棄可能な状態、となるように、前記茶漉し網の状態を可変とする駆動機構と、
を有する茶飲料販売装置であって、
前記原料タンクから前記茶漉し網へ茶葉を供給した後の、前記湯タンクから前記茶漉し網への湯の供給量を測定する測定部と、
前記原料タンクから前記茶漉し網へ茶葉を供給した後の経過時間を計時する計時部と、
前記測定部の測定量が所定量に到達する第１時刻を検出する第１検出部と、
前記計時部の計時時間が所定時間に到達する第２時刻を検出する第２検出部と、
前記第１時刻又は前記第２時刻の何れか早い方の時刻に到達した場合、前記茶漉し網から茶殻を廃棄するように前記駆動機構を制御する制御部と、
を備えたことを特徴とする茶飲料販売装置。
【請求項２】
前記制御部は、前記茶漉し網から茶殻を廃棄した後に茶飲料の販売要求を受信した場合、前記原料タンクから前記茶漉し網へ茶葉を供給するように前記駆動機構を制御する、
ことを特徴とする請求項１に記載の茶飲料販売装置。
【発明の詳細な説明】
【技術分野】
【０００１】
本発明は、茶飲料販売装置に関する。
【背景技術】
【０００２】
茶葉から茶飲料を調理する一般的な茶飲料販売装置として、茶葉を貯蔵する原料タンクと、湯を貯蔵する湯タンクと、原料タンクから茶葉が供給され、茶葉から茶飲料を調理するために湯タンクから湯が供給される茶漉し網と、原料タンクから茶葉が供給可能な状態、湯タンクから湯が供給可能な状態、湯タンクから湯が供給された後に生じる茶殻を廃棄可能な状態、となるように茶漉し網の状態を可変とする駆動機構と、を備え、販売釦を押下する期間に亘り、茶飲料を連続的に販売する茶飲料販売装置がある。特に、茶飲料の１回分の販売量に関わらず、例えば茶飲料の販売回数が所定回数に到達する都度、茶漉し網上の茶殻を装置内部のバケツ等に廃棄する茶飲料販売装置がある。
【特許文献１】特開平５−３１７１８３号
【発明の開示】
【発明が解決しようとする課題】
【０００３】
しかしながら、茶飲料の１回分の販売量に関わらず、茶飲料の販売回数が所定回数に到達する都度、茶漉し網上の茶殻を廃棄する茶飲料販売装置の場合、以下の課題を生じる。つまり、茶飲料の販売回数が所定回数未満であるとき、現時点以前における茶飲料の１回分の販売量が比較的多い場合、以後の茶飲料の味が薄くなる可能性がある。一方、茶飲料の販売回数が所定回数未満であるとき、現時点以前における茶飲料の１回分の販売量が比較的少ない場合、茶葉を十分に使いきらないうちに茶殻として廃棄してしまう可能性がある。  
本発明は、上記課題を解決することが可能な茶飲料販売装置を提供することを目的とする。
【課題を解決するための手段】
【０００４】
本発明は、上記目的を達成するため、茶葉を貯蔵する原料タンクと、湯を貯蔵する湯タンクと、前記原料タンクから茶葉が供給され、前記茶葉から茶飲料を調理するために前記湯タンクから湯が供給される茶漉し網と、前記原料タンクから茶葉が供給可能な状態、前記湯タンクから湯が供給可能な状態、前記湯タンクから湯が供給された後に生じる茶殻を廃棄可能な状態、となるように、前記茶漉し網の状態を可変とする駆動機構と、を有する茶飲料販売装置であって、前記原料タンクから前記茶漉し網へ茶葉を供給した後の、前記湯タンクから前記茶漉し網への湯の供給量を測定する測定部と、前記原料タンクから前記茶漉し網へ茶葉を供給した後の経過時間を計時する計時部と、前記測定部の測定量が所定量に到達する第１時刻を検出する第１検出部と、前記計時部の計時時間が所定時間に到達する第２時刻を検出する第２検出部と、前記第１時刻又は前記第２時刻の何れか早い方の時刻に到達した場合、前記茶漉し網から茶殻を廃棄するように前記駆動機構を制御する制御部と、を備える。
【０００５】
係る茶飲料販売装置によれば、茶葉に対する湯の供給量が所定量に到達するか、又は、茶漉し網上に放置される茶葉の経過時間が所定時間に到達するか、の何れか早い方の到達時に、次の茶飲料の販売を準備するべく茶漉し網上の茶殻を廃棄するため、一定の濃度の茶飲料を販売することが可能となる。
【０００６】
また、前記制御部は、前記茶漉し網から茶殻を廃棄した後に茶飲料の販売要求を受信した場合、前記原料タンクから前記茶漉し網へ茶葉を供給するように前記駆動機構を制御する構成であってもよい。
【０００７】
係る茶飲料販売装置によれば、茶葉が茶漉し網上に放置される時間を短くできるため、高品質の茶飲料を販売することが可能となる。
【発明の効果】
【０００８】
本発明によれば、一定の濃度を有する茶飲料を販売することが可能となる。
【発明を実施するための最良の形態】
【０００９】
====茶飲料販売装置の構成==
図１及び図２を参照しつつ本実施の形態の茶飲料販売装置１の構成例について説明する。尚、図１は、本実施の形態の茶飲料販売装置１における原料供給機構２０、湯供給機構１０、及び茶漉し機構３０の構成例を示す模式図である。図２は、本実施の形態の茶飲料販売装置１の制御を司る構成例を示すブロック図である。
【００１０】
図１に例示されるように、本実施の形態の茶飲料販売装置１は、茶葉を貯蔵する原料タンク２１と、湯を貯蔵する湯タンク１１と、茶漉し網を有する茶漉し３１と、この茶漉し３１の姿勢（状態）を変えるための駆動機構とを備えて構成されている。
【００１１】
<<<原料供給機構>>>
原料タンク２１は、シュータ２３を通じて、貯蔵する茶葉を茶漉し３１に投入するものである。この原料タンク２１には、茶葉を下方に所定量排出するための例えば電動シャッタ等の開閉手段が設けられており、この開閉手段はモータ２２（以後「原料モータ２２」と称する）により駆動される。このように、本実施の形態の原料供給機構２０は、原料タンク２１、原料モータ２２、及びシュータ２３を備えて構成されている。
【００１２】
<<<湯供給機構>>>
湯タンク１１は、配管１２を通じて、貯蔵する湯を茶漉し３１に吐出するものである。この湯タンク１１の例えば底部には配管１２が接続されており、配管１２の途中には電磁弁１３が設けられ、配管１２の先端には湯を例えばシャワー状に吐出させるためのノズル１４が設けられている。このように、本実施の形態の湯供給機構１０は、湯タンク１１、配管１２、電磁弁１３、及びノズル１４を備えて構成されている。
【００１３】
<<<茶漉し機構>>>
茶漉し３１は、内部に茶漉し網を有し略半球状をなすホルダ（駆動機構）３１ａを備えており、このホルダ３１ａの略半球状の開口部の縁には茶葉のガイド３１ｂが形成されているとともに、このホルダ３１ａの前記開口部とは反対側には茶を吐出するためのノズル３１ｃが形成されている。また、ホルダ３１ａは、本体（不図示）等の所定位置に固設された軸支部（駆動機構）３１ｅの周りに図１の点線の矢印に示すように回動可能なフレーム（駆動機構）３１ｄに支持されている。
【００１４】
茶漉し３１内の茶漉し網に対し原料供給機構２０から茶葉を供給する場合、茶漉し３１は図１（ａ）に示す姿勢を保持する。茶葉の供給された茶漉し３１に対し湯供給機構１０が湯を供給する場合、及び茶漉し３１を通じてカップに茶が供給される場合にも、同じ姿勢が保持される。
【００１５】
一方、カップに茶を供給した後に生じる茶殻をバケツ３３に廃棄する場合、フレーム３１ｄが軸支部３１ｅを中心に反時計方向に回動することにより、茶漉し３１は図１（ｂ）に示す姿勢をとる。
【００１６】
茶殻をバケツ３３に廃棄した後は、フレーム３１ｄが軸支部３１ｅを中心に時計方向に回動することにより、茶漉し３１は図１（ａ）に示す姿勢に戻り、原料供給機構２０は茶漉し３１に茶葉を供給する。このような茶葉の交換動作のためのフレーム３１ｄの回動動作は、モータ３２（駆動機構、以後「交換モータ３２」と称する）の駆動により可能となる。
【００１７】
このように、本実施の形態の茶漉し機構３０は、茶漉し３１、交換モータ３２、及びバケツ３３を備えて構成されている。
【００１８】
<<<制御を司る構成>>>
図２に例示されるように、本実施の形態の茶飲料販売装置１の制御を司る主制御部１００は、ＣＰＵ（測定部、第１検出部、第２検出部、制御部）１０１、ＲＯＭ１０２、ＲＡＭ１０３、第１タイマ（計時部）１０４、第２タイマ（測定部）１０５、及びカウンタ１０６を備えて構成されている。
【００１９】
ＣＰＵ１０１は、ＲＯＭ１０２に記憶される所定のプログラムに基づいて、第１タイマ１０４、第２タイマ１０５、カウンタ１０６、電磁弁１３、原料モータ２２、交換モータ３２、及び販売釦１１０との間で制御信号や検出信号等を送受信する。ここで、第１タイマ１０４は、後述する茶葉の交換時や湯の供給終了時を起点とした経過時間を計時するタイマであり、第２タイマ１０５は、湯の供給時間を計時するタイマである。尚、カウンタ１０６は、例えば茶飲料の販売回数等を計数するためのものであるが、これは本実施の形態の茶飲料販売装置１にとって必ずしも必須の構成ではない。
【００２０】
ＲＡＭ１０３は、第１タイマ１０４及び第２タイマ１０５により計時された時間や後述する予め定められた所定値等のデータを記憶するものである。
【００２１】
===茶飲料販売装置の動作（１）===
図３及び図４を参照しつつ、前述した構成を備えた茶飲料販売装置１の茶飲料販売動作及び茶葉交換動作について説明する。尚、図３は、本実施の形態の茶飲料販売装置１が茶飲料販売及び茶葉交換する際の主制御部１００の処理手順の一つの例を示すフローチャートである。図４は、本実施の形態の原料供給機構２０、湯供給機構１０、及び茶漉し機構３０の動作タイミング例を説明するための時間ダイアグラムである。
【００２２】
図３に例示されるように、茶飲料販売装置１は、茶葉交換時に、茶漉し３１（における茶漉し網）に茶葉を供給する（Ｓ１００）と同時に、第１タイマ１０４をリセットした後計時を開始する（Ｓ１０１）。尚、茶葉の供給動作は、具体的には、原料モータ２２の駆動によるものである。  
茶飲料販売装置１は、販売釦１１０が押下されたか否かを判別する（Ｓ１０２）。
【００２３】
<<<湯供給量に基づく判断>>>
販売釦１１０が押下されたと判別した場合（Ｓ１０２：ＹＥＳ）、茶飲料販売装置１は、第２タイマ１０５をリセットした後計時を開始する（Ｓ１０３）と同時に、茶漉し３１に対する湯の供給を開始する（Ｓ１０４）。尚、湯の供給開始は、具体的には、電磁弁１３の開放によるものである。
【００２４】
茶飲料販売装置１は、ステップＳ１０２で押下された販売釦１１０が開放されたか否かを判別する（Ｓ１０５）。
【００２５】
押下された販売釦１１０が開放されたと判別した場合（Ｓ１０５：ＹＥＳ）、茶飲料販売装置１は、茶漉し３１に対する湯の供給を停止するとともに、第２タイマ１０５により計時された時間Ｔ２をＲＡＭ１０３に記憶させる（Ｓ１０６）。
【００２６】
茶飲料販売装置１は、ＲＡＭ１０３からＴ２を読み出し、このＴ２に対し、予め定められた単位時間当たりの湯の供給量を乗算して、ステップＳ１０４（電磁弁１３開）乃至Ｓ１０６（電磁弁１３閉）の間に供給された湯の供給量を求める。本実施の形態の茶飲料販売装置１は、後述するように、同一茶葉を使用した前回までの茶飲料販売における湯の累積供給量をＲＡＭ１０３に記憶している。茶飲料販売装置１は、ＲＡＭ１０３において、前回までの累積供給量のデータを、当該累積供給量に今回の供給量を加算した新たな累積供給量のデータで更新する（Ｓ１０７）。
【００２７】
茶飲料販売装置１は、ＲＡＭ１０３に記憶された前記累積供給量が、同じくＲＡＭ１０３に記憶された所定量に達しているか否かを判別する（Ｓ１０８）。ここで、所定量とは、例えば、同一茶葉で所定の品質を保持可能な湯の最大供給量であり、これは茶葉や湯等に応じて予め定められているものとする。
【００２８】
湯の累積供給量が所定量に達していると判別した場合（Ｓ１０８：ＹＥＳ）、茶飲料販売装置１は、茶漉し３１から茶殻をバケツ３３に廃棄して、ステップＳ１００の処理を再度実行する。
【００２９】
図４に例示されるように、茶葉交換以後の湯の供給Ｄ、Ｅについて各供給時間の合計が上限時間（茶葉を交換しなくてよい上限の時間）に達したとき、たとえ茶葉交換後の経過時間がその上限時間（茶葉を交換しなくてよい上限の時間）に達していない場合でも、次の茶葉交換が行われる。尚、本説明における湯の供給Ｅの直後の時刻（図４における「Ｅ」の直後の「茶葉交換」の矢印の示す時刻）が、本実施の形態の第１時刻に相当する。また、本説明では、湯供給機構１０からの単位時間当たりの湯の供給量が一定であるとして、その供給量の相対比較を供給時間で行った。
【００３０】
<<<茶葉交換後の経過時間に基づく判断>>>
図３に例示されるように、販売釦１１０が押下されていないと判別した場合（Ｓ１０２：ＮＯ）、茶飲料販売装置１は、第１タイマ１０４により計時された時間Ｔ１がＲＡＭ１０３に記憶された所定時間に達しているか否かを判別する（Ｓ１１０）。ここで、所定時間とは、例えば、茶葉が茶漉し網に供給されてから、所定の品質を保持可能な最大経過時間であり、これは茶葉や湯等に応じて予め定められているものとする。尚、このステップＳ１１０は、前述したステップＳ１０８において、湯の累積供給量が所定量に達していないと判別した場合（Ｓ１０８：ＮＯ）に、茶飲料販売装置１が実行する処理の手順でもある。
【００３１】
Ｔ１が所定時間に達していないと判別した場合（Ｓ１１０：ＮＯ）、茶飲料販売装置１は、ステップＳ１０２の処理を再度実行する。
【００３２】
Ｔ１が所定時間に達していると判別した場合（Ｓ１１０）、茶飲料販売装置１は、茶漉し３１から茶殻をバケツ３３に廃棄して、ステップＳ１００の処理を再度実行する。
【００３３】
図４に例示されるように、茶葉交換以後の湯の供給Ａ、Ｂ、Ｃについて各供給時間の合計が上限時間（茶葉を交換しなくてよい上限の時間）に達しないまま、茶葉交換後の経過時間がその上限時間（茶葉を交換しなくてよい上限の時間）に達したとき、次の茶葉交換が行われる。尚、本説明における前記経過時間が上限時間に達した時刻（図４における「Ｃ」以後の「茶葉交換」の矢印の示す時刻）が、本実施の形態の第２時刻に相当する。また、本説明では、湯供給機構１０からの単位時間当たりの湯の供給量が一定であるとして、その供給量の相対比較を供給時間で行った。
【００３４】
本実施の形態の茶飲料販売装置１によれば、茶葉に対する湯の供給量が所定量に到達するか（即ち、湯の供給時間が所定時間に到達するか）、又は、茶葉の供給後に茶漉し網上に放置される同一茶葉の累積経過時間が所定時間に到達するか、の何れか早い方の到達時に、次の茶飲料の販売を準備するべく茶漉し網上の茶殻を廃棄するため、一定の濃度の茶飲料を販売することが可能となる。
【００３５】
===茶飲料販売装置の動作（２）===
前述した動作は、湯供給量、又は茶葉交換後の経過時間に基づいて茶葉交換を判断するものであったが、以下述べるように、湯供給量、又は湯供給後の経過時間に基づいて茶葉交換を判断するものであってもよい。
【００３６】
図５に例示されるように、茶飲料販売装置１は、茶葉交換時に、茶漉し３１（における茶漉し網）に茶葉を供給する（Ｓ２００）。尚、同図は、本実施の形態の茶飲料販売装置１が茶飲料販売及び茶葉交換する際の主制御部１００の処理手順のもう一つの例を示すフローチャートである。
【００３７】
茶飲料販売装置１は、販売釦１１０が押下されたか否かを判別する（Ｓ２０１）。  
販売釦１１０が押下されたと判別した場合（Ｓ２０１：ＹＥＳ）、茶飲料販売装置１は、第２タイマ１０５をリセットした後計時を開始する（Ｓ２０２）と同時に、茶漉し３１に対する湯の供給を開始する（Ｓ２０３）。
【００３８】
茶飲料販売装置１は、ステップＳ２０１で押下された販売釦１１０が開放されたか否かを判別する（Ｓ２０４）。  
押下された販売釦１１０が開放されたと判別した場合（Ｓ２０４：ＹＥＳ）、茶飲料販売装置１は、茶漉し３１に対する湯の供給を停止し、第２タイマ１０５により計時された時間Ｔ２をＲＡＭ１０３に記憶させ、第１タイマ１０４をリセットした後計時を開始する（Ｓ２０５）。
【００３９】
茶飲料販売装置１は、ＲＡＭ１０３からＴ２を読み出し、このＴ２に対し、予め定められた単位時間当たりの湯の供給量を乗算して、ステップＳ２０３（電磁弁１３開）乃至Ｓ２０５（電磁弁１３閉）の間に供給された湯の供給量を求める。本実施の形態の茶飲料販売装置１は、後述するように、同一茶葉を使用した前回までの茶飲料販売における湯の累積供給量をＲＡＭ１０３に記憶している。茶飲料販売装置１は、ＲＡＭ１０３において、前回までの累積供給量のデータを、当該累積供給量に今回の供給量を加算した新たな累積供給量のデータで更新する（Ｓ２０６）。
【００４０】
茶飲料販売装置１は、ＲＡＭ１０３に記憶された前記累積供給量が、同じくＲＡＭ１０３に記憶された所定量に達しているか否かを判別する（Ｓ２０７）。  
湯の累積供給量が所定量に達していると判別した場合（Ｓ２０７：ＹＥＳ）、茶飲料販売装置１は、茶漉し３１から茶殻をバケツ３３に廃棄して、ステップＳ２００の処理を再度実行する。  
湯の累積供給量が所定量に達していないと判別した場合（Ｓ２０７：ＮＯ）、茶飲料販売装置１は、第１タイマ１０４により計時された時間Ｔ１がＲＡＭ１０３に記憶された所定時間に達しているか否かを判別する（Ｓ２０９）。ここで、所定時間とは、例えば、茶葉への湯の供給が終了してから、所定の品質を保持可能な最大経過時間であり、これは茶葉や湯等に応じて予め定められているものとする。
【００４１】
Ｔ１が所定時間に達していないと判別した場合（Ｓ２０９：ＮＯ）、茶飲料販売装置１は、次販売として販売釦１１０が押下されたか否かを判別する（Ｓ２１０）。販売釦１１０が押下されていないと判別した場合（Ｓ２１０：ＮＯ）、茶飲料販売装置１は、ステップＳ２０９の処理を再度実行する一方、販売釦１１０が押下されたと判別した場合（Ｓ２１０：ＹＥＳ）、茶飲料販売装置１は、ステップＳ２０２の処理を再度実行する。  
Ｔ１が所定時間に達していると判別した場合（Ｓ２０９）、茶飲料販売装置１は、茶漉し３１から茶殻をバケツ３３に廃棄して、ステップＳ２００の処理を再度実行する。
【００４２】
本実施の形態の茶飲料販売装置１によれば、茶葉に対する湯の供給量が所定量に到達するか（即ち、湯の供給時間が所定時間に到達するか）、又は、湯の供給の都度その後に茶漉し網上に放置される同一茶葉の経過時間が所定時間に到達するか、の何れか早い方の到達時に、次の茶飲料の販売を準備するべく茶漉し網上の茶殻を廃棄するため、一定の濃度の茶飲料を販売することが可能となる。
【００４３】
尚、前述したステップＳ２０９における所定時間は、ステップＳ２０２乃至Ｓ２０７、Ｓ２０９、及びＳ２１０の処理を繰り返す都度、同じ時間に設定されていてもよいし、或いは、前記処理を繰り返す都度、徐々に短い時間に設定されてもよい。特に後者の場合、同一茶葉に対する湯の供給回数が増えるほど、その供給後の放置時間の上限時間が短くなるため、より高品質の茶飲料を販売することが可能となる。
【００４４】
また、前述したステップＳ２０７：ＹＥＳに対応する時刻が本実施の形態の第１時刻に相当し、前述したステップＳ２０９：ＹＥＳに対応する時刻が本実施の形態の第２時刻に相当する。
【００４５】
===茶飲料販売装置の動作（３）===
前述した動作は、茶葉の交換に関して、茶殻を廃棄した直後に茶葉を供給するものであったが、例えば、茶殻を廃棄した後、次販売時に茶葉を供給するものであってもよい。
【００４６】
この場合、前述した図３の処理手順において、茶飲料販売装置１は、茶葉を供給するとともに第１タイマ１０４を動作させる処理（Ｓ１００、Ｓ１０１）を、販売釦１１０が押下されたと判別する処理（Ｓ１０２：ＹＥＳ）の直後に実行するものである。ここで、販売釦１１０の押下にともない主制御部１００に送信される検出信号が、本実施の形態の販売要求に相当する。
【００４７】
また、この場合、販売釦１１０が押下されていないと判別した場合（Ｓ１０２：ＮＯ）、茶飲料販売装置１は、同判別処理を再度実行するものである。
【００４８】
この茶飲料販売装置１によれば、茶葉が茶漉し網上に放置される時間を短くできるため、高品質の茶飲料を販売することが可能となる。
【００４９】
===その他の実施の形態===
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００５０】
前述した実施の形態の茶漉し網の駆動機構は、図１に例示される機構に限定されるものではない。要するに、原料タンク２１から茶葉が供給可能な状態、湯タンク１１から湯が供給可能な状態、湯タンク２１から湯が供給された後に生じる茶殻を廃棄可能な状態、となるように茶漉し網の状態を可変とする機構であれば、いかなる機構であってもよい。
【００５１】
また、前述した実施の形態では、湯の供給量は、第２タイマ１０５により計時された湯の供給時間として求めていたが、これに限定されるものではない。要するに、原料タンク２１から茶漉し網へ茶葉を供給した後の、湯タンク１１から茶漉し網への湯の供給量を測定するための手段であれば、いかなる手段であってもよい。
【図面の簡単な説明】
【００５２】
【図１】本実施の形態の茶飲料販売装置における原料供給機構、湯供給機構、及び茶漉し機構の構成例を示す模式図である。
【図２】本実施の形態の茶飲料販売装置の制御を司る構成例を示すブロック図である。
【図３】本実施の形態の茶飲料販売装置が茶飲料販売及び茶葉交換する際の主制御部の処理手順の一つの例を示すフローチャートである。
【図４】本実施の形態の原料供給機構、湯供給機構、及び茶漉し機構の動作タイミング例を説明するための時間ダイアグラムである。
【図５】本実施の形態の茶飲料販売装置が茶飲料販売及び茶葉交換する際の主制御部の処理手順のもう一つの例を示すフローチャートである。
【符号の説明】
【００５３】
１  茶飲料販売装置    １０  湯供給機構    １１  湯タンク    １２  配管
１３  電磁弁    １４  ノズル    ２０  原料供給機構    ２１  原料タンク
２２  原料モータ    ２３  シュータ    ３０  茶漉し機構    ３１  茶漉し
３１ａ  ホルダ    ３１ｂ  ガイド    ３１ｃ  ノズル    ３１ｄ  フレーム
３１ｅ  軸支部    ３２  交換モータ    ３３  バケツ    １００  主制御部
１０１  ＣＰＵ    １０２  ＲＯＭ    １０３  ＲＡＭ    １０４  第１タイマ
１０５  第２タイマ    １０６  カウンタ    １１０  販売釦
【図１】
2008188256.tif 000003
【図２】
2008188256.tif 000004
【図３】
2008188256.tif 000005
【図４】
2008188256.tif 000006
【図５】
2008188256.tif 000007